(57)【要約】【課題】原稿両面のカラー／白黒判定が無駄に遅延することを抑制する。【解決手段】裏面読取位置は表面読取位置よりも下流に位置する。ＣＰＵ４０１は、原稿の裏面の読み取りを開始したタイミングにおける原稿の表面のＡＣＳ判定の結果、表面がカラーと判定されている場合は、表面の画像データに、ＡＣＳ判定が未処理の領域に対応するデータがあっても、裏面の画像データの判定を開始させる。【選択図】図４
2019129449.tif 000002
【特許請求の範囲】
【請求項１】
原稿を搬送する搬送手段と、
前記搬送手段により搬送される原稿の第１面を読み取って第１の画像データを出力する第１の読み取り手段と、
前記第１の読み取り手段の位置よりも搬送方向における下流の位置で前記原稿の第２面を読みって第２の画像データを出力する第２の読み取り手段と、
画像データがカラーか否かを判定する判定手段と、
前記第１の読み取り手段により前記原稿の読み取りが開始されると前記判定手段による前記第１の画像データの判定を開始させ、前記第２の読み取り手段による前記原稿の読み取りが開始されたタイミングにおける前記判定手段による前記第１の画像データの判定結果に基づいて、前記判定手段による前記第２の画像データの判定の開始タイミングを制御する制御手段と、を有することを特徴とする画像読取装置。
【請求項２】
前記制御手段は、前記第２の読み取り手段による前記原稿の読み取りが開始されたタイミングにおいて、前記判定手段により前記第１の画像データがカラーであると判定されている場合は、前記第１の画像データに、前記第１面の全領域のうち前記判定手段による未処理の領域に対応するデータがあっても、前記判定手段による前記第２の画像データの判定を開始させることを特徴とする請求項１に記載の画像読取装置。
【請求項３】
前記判定手段は、入力された画像データに対してカラーか否かの判定処理を実行し、
前記制御手段は、前記第２の読み取り手段による前記原稿の読み取りが開始されたタイミングにおいて前記判定手段により前記第１の画像データがカラーであると判定され且つ、前記第１の画像データに、前記第１面の全領域のうち前記判定手段による未処理の領域に対応するデータがある場合は、前記判定手段に対して前記第１の画像データの入力を中断して前記第２の画像データを入力することを特徴とする請求項２に記載の画像読取装置。
【請求項４】
前記制御手段は、前記第２の読み取り手段による前記原稿の読み取りが開始されたタイミングにおいて前記判定手段により前記第１の画像データがカラーであると判定されていない場合、前記判定手段による前記第１の画像データの判定処理が終了すると前記判定手段による前記第２の画像データの判定を開始させることを特徴とする請求項１〜３のいずれか１項に記載の画像読取装置。
【請求項５】
前記制御手段は、前記第２の読み取り手段による前記原稿の読み取りが開始されたタイミングにおいて前記判定手段により前記第１の画像データがカラーであると判定されていない場合、その後に前記判定手段により前記第１の画像データがカラーであると判定されると、前記第１の画像データに、前記第１面の全領域のうち前記判定手段による未処理の領域に対応するデータがあっても、前記判定手段による前記第２の画像データの判定を開始させることを特徴とする請求項１〜３のいずれか１項に記載の画像読取装置。
【請求項６】
前記制御手段は、前記判定手段により前記第２の画像データがカラーであると判定され且つ、読み取るべき次の原稿がある場合は、前記第２の画像データに、前記第２面の全領域のうち前記判定手段による未処理の領域に対応するデータがあっても、前記次の原稿の読み取りに移行するよう制御することを特徴とする請求項１〜５のいずれか１項に記載の画像読取装置。
【請求項７】
前記第１の画像データ及び前記第２の画像データを記憶する記憶部を有し、
前記制御手段は、前記記憶部に記憶された画像データを選択的に前記判定手段に入力することで、入力した画像データに対する判定処理を前記判定手段に行わせることを特徴とする請求項１〜６のいずれか１項に記載の画像読取装置。
【発明の詳細な説明】
【技術分野】
【０００１】
本発明は、原稿画像を読み取る画像読取装置に関する。
【背景技術】
【０００２】
従来、ファクシミリ装置や複写機等に備わる画像読取装置に、原稿画像がカラーか白黒かを判定するオートカラーセレクト（以下ＡＣＳ）機能を設けることで、ユーザが色情報を指定しなくても自動で色判別を行う技術が知られている。例えば、特許文献１の装置は、読み取った原稿が白黒原稿かカラー原稿かを判別し、カラー画像を受信可能な送信先には判別結果に応じてカラー画像又は白黒２値画像を送信し、カラー画像を受信不可能な送信先には白黒２値画像を送信する。これにより、ユーザに色情報を意識させずに画像転送の時間の短縮を図ることができる。ところで、原稿搬送路上に２つの読み取り部を設け、１回の搬送動作で原稿の表裏の画像を得る両面読み取り方式の画像読取装置が知られている。
【先行技術文献】
【特許文献】
【０００３】
【特許文献１】特開２００４−７２１６６号公報
【発明の概要】
【発明が解決しようとする課題】
【０００４】
両面のカラー／白黒の判定処理を並行して行えない場合、通常、第１面（例えば、表面）の全領域のカラー／白黒の判定処理を完了してから、第２面（例えば、裏面）の全領域のカラー／白黒の判定処理が開始される。しかし、昨今、１枚目のシートが排出されるまでのＦＣＯＴ（Ｆｉｒｓｔ Ｃｏｐｙ Ｏｕｔｐｕｔ Ｔｉｍｅ）の短縮が求められている。両面のカラー／白黒の結果に基づきプリントを実施する場合、ＦＣＯＴの向上のためには、第１面、第２面のカラー／白黒の判定をなるべく早く済ませるのが望ましい。
【０００５】
本発明は、原稿両面のカラー／白黒判定が無駄に遅延することを抑制することを目的とする。
【課題を解決するための手段】
【０００６】
上記目的を達成するために本発明は、原稿を搬送する搬送手段と、前記搬送手段により搬送される原稿の第１面を読み取って第１の画像データを出力する第１の読み取り手段と、前記第１の読み取り手段の位置よりも搬送方向における下流の位置で前記原稿の第２面を読みって第２の画像データを出力する第２の読み取り手段と、画像データがカラーか否かを判定する判定手段と、前記第１の読み取り手段により前記原稿の読み取りが開始されると前記判定手段による前記第１の画像データの判定を開始させ、前記第２の読み取り手段による前記原稿の読み取りが開始されたタイミングにおける前記判定手段による前記第１の画像データの判定結果に基づいて、前記判定手段による前記第２の画像データの判定の開始タイミングを制御する制御手段と、を有することを特徴とする。
【発明の効果】
【０００７】
本発明によれば、原稿両面のカラー／白黒判定が無駄に遅延することを抑制することができる。
【図面の簡単な説明】
【０００８】
【図１】画像読取装置の模式的断面図である。
【図２】原稿読取装置の制御構成を示すブロック図である。
【図３】ＡＣＳ回路のブロック図である。
【図４】両面同時読取処理のフローチャートである。
【図５】原稿画像の読み取り、ＡＣＳ判定及び画像信号出力のタイミングチャートである。
【図６】両面同時読取処理のフローチャートである。
【図７】原稿画像の読み取り、ＡＣＳ判定及び画像信号出力のタイミングチャートである。
【発明を実施するための形態】
【０００９】
以下、図面を参照して本発明の実施の形態を説明する。
【００１０】
（第１の実施の形態）
図１は、本発明の第１の実施の形態に係る画像読取装置の模式的断面図である。この画像読取装置は、原稿を読み取るリーダユニット１０１、原稿を搬送するＡＤＦ（Auto Document Feeder）１０２を有する。
【００１１】
ＡＤＦ１０２において、読み取り対象となる複数の原稿からなる原稿束１０３が原稿トレイ１０４に載置される。原稿束１０３は幅規制板１０５によって幅方向端部が規制され、それにより原稿の斜行搬送が抑制される。原稿束１０３はピックアップローラ１０６により分離部へ配送される。分離部は、分離パッド１０７と分離ローラ１０８により、原稿束１０３の最上の原稿から１枚ずつ分離する。分離された１枚の原稿は、通過検知センサ１０９を通った後、第１搬送ローラ１１０、第２搬送ローラ１１１、第３搬送ローラ１１２、第４搬送ローラ１１３の順に搬送される。原稿が第３搬送ローラ１１２、第４搬送ローラ１１３を通過する際に、原稿は表面読取ユニット１２１（第１の読み取り手段）の表面読取位置上を通過し、原稿の表面（第１面）の画像情報が得られる。原稿が第４搬送ローラ１１３を通過後、第５搬送ローラ１３２、第６搬送ローラ１３３を通過する際に、原稿は裏面読取ユニット１３１（第２の読み取り手段）の裏面読取位置上を通過し、原稿の裏面（第２面）の画像情報が得られる。原稿は第６搬送ローラ１３３を通過後、第７搬送ローラ１１６、排紙ローラ１１７によって搬送され、原稿排紙トレイ１１８に排紙される。搬送ローラ１１０〜１１３、１３２、１３３、１１６が、本発明における搬送手段に該当する。
【００１２】
原稿搬送方向において、ＬＥＤ等の光源１２２、１２３による原稿の照射位置が表面読取位置となり、ＬＥＤ等の光源１３４、１３５による原稿の照射位置が裏面読取位置となる。裏面読取ユニット１３１は、表面読取ユニット１２１よりも原稿搬送方向における下流に配置され、裏面読取位置は表面読取位置よりも下流に位置する。従って、原稿は、表面が先行で読み取られ、その後に裏面が読み取られる。
【００１３】
次に、原稿読取動作について説明する。まず、表面の読取動作を説明する。表面読取位置に存在する白色対向部材１１９と読取ガラス１２０との間を原稿が通過中に、表面読取ユニット１２１は、光源１２２、１２３により原稿を照射し、その反射光を反射ミラー１２４、１２５、１２６により結像レンズ１２７へ導く。結像レンズ１２７で収束された光はＣＣＤなどの撮像素子をライン上に配置したラインセンサ１２８に結像する。結像した光信号は、ラインセンサ１２８により電気信号に変換され、デジタル信号に変換された後、画像処理が実施される。
【００１４】
次に裏面の読取動作を説明する。裏面読取位置に存在する白色対向部材１２９と読取ガラス１３０との間を原稿が通過中に、裏面読取ユニット１３１は、光源１３４、１３５により原稿を照射し、その反射光を反射ミラー１３６、１３７、１３８により結像レンズ１３９へ導く。結像レンズ１３９で収束された光はＣＣＤなどの撮像素子をライン上に配置したラインセンサ１４０に結像する。結像した光信号は、ラインセンサ１４０により電気信号に変換され、デジタル信号に変換された後、画像処理が実施される。
【００１５】
図２は、原稿読取装置の制御構成を示すブロック図である。ＣＰＵ４０１は原稿読取装置を統括的に制御するメインＣＰＵである。ＣＰＵ４０１は、操作部４０６により入力されたユーザからの指示に基づき、光源１２２、１２３、１３４、１３５、ラインセンサ１２８、１４０、原稿搬送モータ４０５を制御し、原稿画像を読み取る制御を行う。操作部４０６にはユーザからの読み取り開始指示等の各種指示が入力される。さらに、操作部４０６はユーザに対してメッセージを表示する表示部を有する。
【００１６】
次に画像信号（画像データ）の流れについて説明する。原稿の表面については、ラインセンサ１２８により読み取られた原稿画像の濃度に応じたＲ，Ｇ，Ｂの各アナログ電気信号が、Ａ／Ｄ変換回路４０３ａによりデジタル画像信号に変換される。Ａ／Ｄ変換回路４０３ａはアナログ電気信号をＲ，Ｇ，Ｂの各１画素あたり１０ｂｉｔのデジタル値に変換する。シェーディング補正回路４０４ａは、Ａ／Ｄ変換回路４０３ａから出力されたデジタル画像信号に対し、光源１２２、１２３の光量の不均一性の影響やラインセンサ１２８の画素感度の影響を補正し、補正後の画像信号を出力する。
【００１７】
原稿の裏面については、ラインセンサ１４０により読み取られた原稿画像の濃度に応じたＲ，Ｇ，Ｂの各アナログ電気信号が、Ａ／Ｄ変換回路４０３ｂによりデジタル画像信号に変換される。Ａ／Ｄ変換回路４０３ｂはアナログ電気信号をＲ，Ｇ，Ｂの各１画素あたり１０ｂｉｔのデジタル値に変換する。シェーディング補正回路４０４ｂは、Ａ／Ｄ変換回路４０３ｂから出力されたデジタル画像信号に対し、光源１３４、１３５の光量の不均一性の影響やラインセンサ１４０の画素感度の影響を補正し、補正後の画像信号を出力する。
【００１８】
表面、裏面のそれぞれにつき補正された画像信号は記憶部としてのメモリ４０７に格納される。メモリ４０７は、Ａ３で２ページ分程度の画像信号を格納できる容量を有する。ＡＣＳ回路４５２は、メモリ４０７に格納された画像信号からカラー原稿／白黒原稿判定を行う判定手段であり、その詳細は後述する。また、ＣＰＵ４０１は、図示しない画像形成装置のコントローラ部からの画像要求に応じて、メモリ４０７から画像信号を画像形成装置のコントローラ部へ転送する。すなわち、原稿読み取りによりメモリ４０７に格納された画像信号は、メモリ４０７から出力画像信号として、コントローラ部へ転送され、画像形成装置では、コントローラ部から不図示のプリンタ部へ送られ、プリントが実行される。
【００１９】
図３は、ＡＣＳ回路４５２のブロック図である。ＡＣＳ回路４５２は、原稿読み取りで得られた画像データがカラーか否かを判定することで、読み取った原稿がカラー原稿であるか白黒原稿であるかを判定する。具体的には、ＡＣＳ回路４５２は、画素ごとの彩度を求め、ある閾値以上の画素がどれだけ存在するかによってカラー／白黒判定（以下、ＡＣＳ判定という）の処理を行う。しかし、白黒原稿であっても、ＭＴＦ（Modulation Transfer Function）等の影響により、ミクロ的に見るとエッジ周辺に色画素が多数存在し、単純に画素単位でＡＣＳ判定を行うのは難しい。このＡＣＳ判定として様々な手法が提供されているが、本実施の形態では、採用するＡＣＳの手法に限定はなく、一般的なものを採用して説明する。
【００２０】
上述のように、白黒画像でもミクロ的に見ると色画素が多数存在するため、その画素が本当に色画素であるかどうかを判定するには、注目画素に対する周辺の色画素の情報を参照する必要がある。フィルタ６０１はそのためのフィルタであり、注目画素の周辺画素を参照するためにＦＩＦＯ（Ｆｉｒｓｔ  Ｉｎ  Ｆｉｒｓｔ  Ｏｕｔ）の構造をとる。フィルタ６０１にはＣＰＵ４０１からの制御信号６１２が入力される。フィルタ６０１からの出力は色判定部６０３及びヒストグラムカウント部６１３に入力される。
【００２１】
領域検出回路６０２は、ＣＰＵ４０１によりレジスタ６０７、６０８、６０９、６１０に設定された値と、メモリ４０７からフィルタ６０１を介して送られた画像信号を元に、ＡＣＳをかける領域信号６０５を作成する。色判定部６０３は、ＡＣＳをかける領域信号６０５に基づき、注目画素に対してフィルタ６０１内のメモリの周辺画素を参照し、注目画素が色画素か白黒画素かを決定する。カウンタ６０４は、色判定部６０３から出力される、ＡＣＳをかける領域内での色判定信号６０６の個数を計数する。ＡＣＳ判定の処理において、ＣＰＵ４０１は、カウンタ６０４の値と所定の閾値とを比較し、その比較結果から、読み取った原稿がカラーであるか否かを判定する。以降、原稿の表面及び裏面の双方について、読み取り画像がカラーであるという判定結果を「カラー判定」、白黒であるという判定結果を「白黒判定」と呼称する。ＣＰＵ４０１は、メモリ４０７に記憶された画像データを選択的にＡＣＳ回路４５２に入力することで、入力した画像データに対するＡＣＳ判定をＡＣＳ回路４５２に行わせる。
【００２２】
図４は、両面同時読取処理のフローチャートである。この処理は、ＣＰＵ４０１が備える不図示のＲＯＭに格納された制御プログラムをＣＰＵ４０１が備えるＲＡＭに読み出してＣＰＵ４０１が実行することにより実現される。この処理は、ユーザが原稿トレイ１０４に両面原稿をセットし、操作部４０６のスタートボタン（不図示）を押下すると開始される。
【００２３】
ステップＳ１０１で、ＣＰＵ４０１は、原稿が表面読取位置に到着するのを待ち、原稿が表面読取位置に到着すると、ステップＳ１０２で、表面読取ユニット１２１による原稿の表面の読み取りを開始する。それと共にＣＰＵ４０１は、表面を読み取って得られた画像信号（画像データ）をメモリ４０７に格納する処理を開始する。その際、表面の画像信号は、ラインセンサ１２８のライン毎にＡ／Ｄ変換回路４０３ａでＡ／Ｄ変換され、シェーディング補正回路４０４ａで補正されて、ライン毎にメモリ４０７に格納される。
【００２４】
次に、ステップＳ１０３で、ＣＰＵ４０１は、メモリ４０７に格納された表面の画像信号をＡＣＳ回路４５２に入力することで、表面のＡＣＳ判定、すなわち表面の画像信号がカラーであるか否かをＡＣＳ回路４５２に判定させる処理を開始する。次に、ステップＳ１０４で、ＣＰＵ４０１は、原稿が裏面読取位置に到着するのを待ち、原稿が裏面読取位置に到着すると、ステップＳ１０５で、裏面読取ユニット１３１による原稿の裏面の読み取りを開始する。それと共にＣＰＵ４０１は、裏面を読み取って得られた画像信号（画像データ）をメモリ４０７に格納する処理を開始する。その際、裏面の画像信号は、ラインセンサ１４０のライン毎にＡ／Ｄ変換回路４０３ｂでＡ／Ｄ変換され、シェーディング補正回路４０４ｂで補正されて、ライン毎にメモリ４０７に格納される。
【００２５】
ステップＳ１０６で、ＣＰＵ４０１は、原稿の表面に関し、カラー判定が得られているか否かを判別する。ところで、表面の全領域（ページ全体）のうちＡＣＳ判定未処理の領域があっても、表面のカラー判定が得られている可能性はある。全領域の少なくとも一部にカラー部分があればその原稿はカラー原稿だからである。一方、表面の全領域に対するＡＣＳ判定処理の結果、カラー判定が得られなかった場合に、白黒判定が得られる。
【００２６】
ステップＳ１０６での判別の結果、原稿の表面に関し、既にカラー判定が得られている場合は、ＣＰＵ４０１は処理をステップＳ１０７に進める。ステップＳ１０７では、ＣＰＵ４０１は、メモリ４０７に格納された裏面の画像信号をＡＣＳ回路４５２に入力することで、裏面のＡＣＳ判定、すなわち裏面の画像信号がカラーであるか否かをＡＣＳ回路４５２に判定させる処理を開始する。なお、ステップＳ１０６からステップＳ１０７へ移行した場合、表面の全領域に対するＡＣＳ判定の処理が終了していなくても、ＣＰＵ４０１は、メモリ４０７からＡＣＳ回路４５２への表面の画像信号の入力を中断し、裏面の画像信号を入力する。これにより、表面に関するＡＣＳ判定は中断され、裏面のＡＣＳ判定が早期に開始可能となる。
【００２７】
次に、ステップＳ１０８で、ＣＰＵ４０１は、原稿の裏面の全領域に対するＡＣＳ判定の処理が終了するまで待ち、原稿の裏面の全領域に対するＡＣＳ判定の処理が終了すると、処理をステップＳ１０９に進める。ステップＳ１０９では、ＣＰＵ４０１は、読み取るべき次原稿があるか否かを判別し、次原稿がある場合は、処理をステップＳ１０１に戻す一方、次原稿がない場合は図４の処理を終了する。
【００２８】
ステップＳ１０６での判別の結果、原稿の表面に関し、カラー判定が得られていない場合は、ＣＰＵ４０１は処理をステップＳ１１０に進める。ステップＳ１１０では、ＣＰＵ４０１は、原稿の表面の全領域に対するＡＣＳ判定の処理が終了するまで待ち、原稿の表面の全領域に対するＡＣＳ判定の処理が終了すると、処理をステップＳ１０７に進める。このように、ステップＳ１０４〜Ｓ１０６の処理により、原稿の裏面の読み取りが開始されたタイミングにおける表面のＡＣＳ判定の結果に基づいて、裏面の画像のＡＣＳ判定の開始タイミングが制御される。
【００２９】
図５（ａ）、（ｂ）は、原稿画像の読み取り、ＡＣＳ判定及び画像信号出力のタイミングチャートである。特に図５（ａ）、（ｂ）はそれぞれ、図４のステップＳ１０６の処理時点で表面のカラー判定が得られている場合、得られていない場合を示している。ＡＣＳ判定の結果を示すＡＣＳ判定結果信号は、“Ｈ”がカラー、“Ｌ”が白黒を示すとする。ＡＣＳ回路４５２の判定結果に応じて、ＡＣＳ判定結果信号は変化する。すなわち、ＡＣＳ判定結果信号は、カラーと判定できたタイミングで“Ｌ”から“Ｈ”に変化する。また、ＡＣＳ回路４５２に入力する画像信号が切り替わるとそのタイミングでＡＣＳ判定結果信号は“Ｌ”にクリアされる。ステップＳ１０６の処理時点が、図５に示すＡＣＳ回路切換判定タイミングに対応する。図５の処理において、ＣＰＵ４０１は、本発明における制御手段としての役割を果たす。
【００３０】
まず、図５（ａ）に示すように、ステップＳ１０６の判別時点で原稿表面がカラー原稿と判定されている場合には、メモリ４０７からＡＣＳ回路４５２へは、原稿の表面の画像信号に代わって原稿の裏面の画像信号が入力される。これにより、裏面の画像信号に対するＡＣＳ判定の処理が早期に開始される（Ｓ１０６→Ｓ１０７）。この時点で、メモリ４０７からコントローラ部へ出力される画像信号は表面の画像信号のままである。
【００３１】
一方、図５（ｂ）に示すように、ステップＳ１０６の判別時点で原稿表面がカラー原稿と判定されていない場合には、ＡＣＳ回路４５２には、引き続き原稿の表面の画像信号が入力される（Ｓ１１０）。この時点で、メモリ４０７からコントローラ部へ出力される画像信号は表面の画像信号のままである。そして表面の全領域に対するＡＣＳ判定の処理が終了してから、メモリ４０７からＡＣＳ回路４５２へ、原稿の裏面の画像信号が入力される。これにより、裏面の画像信号に対するＡＣＳ判定の処理が開始される。
【００３２】
本実施の形態によれば、ＣＰＵ４０１は、原稿の裏面の読み取りを開始したタイミングにおける原稿の表面のＡＣＳ判定の結果に基づいて、裏面の画像のＡＣＳ判定の開始タイミングを制御する。すなわちＣＰＵ４０１は、裏面の読み取り開始タイミングで表面がカラーと判定されている場合は、表面の画像データに、ＡＣＳ判定未処理の領域に対応するデータがあっても、裏面の画像データの判定を開始させる（Ｓ１０６→Ｓ１０７）。これにより、原稿両面のカラー／白黒判定が無駄に遅延することを抑制することができる。ひいては、ＦＣＯＴの短縮が可能となる。
【００３３】
（第２の実施の形態）
本発明の第２の実施の形態では、両面同時読取処理が第１の実施の形態と異なる。図６、図７を用いて本実施の形態を説明する。
【００３４】
図６は、両面同時読取処理のフローチャートである。この処理の実行条件や開始条件は、図４の処理と同様である。ステップＳ２０１〜Ｓ２０６の処理は、図４のステップＳ１０１〜Ｓ１０６と同様である。
【００３５】
ＣＰＵ４０１は、ステップＳ２０６での判別の結果、原稿の表面に関し、既にカラー判定が得られている場合は処理をステップＳ２０７に進める一方、カラー判定が得られてない場合は、処理をステップＳ２１１に進める。ステップＳ２０７では、ＣＰＵ４０１は、図４のステップＳ１０７と同様の処理を実行する。従って、ステップＳ２０６からステップＳ２０７へ移行した場合、表面の全領域に対するＡＣＳ判定の処理が終了していなくても、ＣＰＵ４０１は、メモリ４０７からＡＣＳ回路４５２への表面の画像信号の入力を中断し、裏面の画像信号を入力する。これにより、表面に関するＡＣＳ判定は中断され、裏面のＡＣＳ判定が早期に開始可能となる。
【００３６】
次に、ステップＳ２０８では、ＣＰＵ４０１は、原稿の裏面に関し、カラー判定が得られているか否かを判別する。そして原稿の裏面に関し、カラー判定が得られている場合は、ＣＰＵ４０１は処理をステップＳ２１０に進める。しかし原稿の裏面に関し、カラー判定が得られていない場合は、ＣＰＵ４０１は、ステップＳ２０９で、原稿の裏面の全領域に対するＡＣＳ判定の処理が終了したか否かを判別する。そしてＣＰＵ４０１は、原稿の裏面の全領域に対するＡＣＳ判定の処理が終了していない場合は、処理をステップＳ２０８に戻す。一方、原稿の裏面の全領域に対するＡＣＳ判定の処理が終了した場合は、ＣＰＵ４０１は、ステップＳ２１０で、図４のステップＳ１０９と同様の処理を実行する。ステップＳ２１０での判別の結果、ＣＰＵ４０１は、読み取るべき次原稿がある場合は、処理をステップＳ２０１に戻す一方、次原稿がない場合は、図６の処理を終了する。
【００３７】
ステップＳ２１１では、ＣＰＵ４０１は、原稿の表面に関し、カラー判定が得られているか否かを判別する。そして原稿の表面に関し、カラー判定が得られている場合は、ＣＰＵ４０１は、処理をステップＳ２０７に進める。一方、原稿の表面に関し、カラー判定が得られていない場合は、ＣＰＵ４０１は、ステップＳ２１２で、原稿の表面の全領域に対するＡＣＳ判定の処理が終了したか否かを判別する。原稿の表面の全領域に対するＡＣＳ判定の処理が終了していない場合は、ＣＰＵ４０１は、処理をステップＳ２１１に戻す。一方、原稿の表面の全領域に対するＡＣＳ判定の処理が終了すると、ＣＰＵ４０１は、処理をステップＳ２０７に進める。
【００３８】
図７は、原稿画像の読み取り、ＡＣＳ判定及び画像信号出力のタイミングチャートであり、特に、図６のステップＳ２０６の処理時点で表面のカラー判定が得られていない場合を示している。ステップＳ２０６の処理時点が、図７に示すＡＣＳ回路切換判定タイミングに対応する。なお、図示していないが、図６のステップＳ２０６の処理時点で表面のカラー判定が得られている場合は、第１の実施の形態と同様に、表面の画像信号に代わって裏面の画像信号に対するＡＣＳ判定の処理が開始される（Ｓ２０６→Ｓ２０７）。
【００３９】
図７に示すように、ステップＳ２０６の判別時点で原稿表面がカラー原稿と判定されていない場合には、ＡＣＳ回路４５２には、引き続き原稿の表面の画像信号が入力される（Ｓ２１１、Ｓ２１２）。その後、図７に示すように、表面の全領域に対するＡＣＳ判定処理の終了前に表面のカラー判定が得られたとする（Ｓ２１１でＹｅｓ）。この場合、ＣＰＵ４０１は、表面のＡＣＳ判定を中断し、ＡＣＳ回路４５２にはメモリ４０７から原稿の裏面の画像信号を入力することで、裏面の画像信号に対するＡＣＳ判定の処理を開始させる（Ｓ２１１→Ｓ２０７）。すなわちＣＰＵ４０１は、表面の画像データに、ＡＣＳ判定未処理の領域に対応するデータがあっても、裏面の画像データの判定を開始させる。これにより、裏面のＡＣＳ判定の開始が早まる。
【００４０】
また、原稿裏面のＡＣＳ判定中、当該ＡＣＳ判定処理の終了前に、裏面のカラー判定が得られたとする（Ｓ２０８でＹｅｓ）。この場合、ＣＰＵ４０１は、裏面の全領域のＡＣＳ判定を完遂することなく中断する（Ｓ２０８→Ｓ２１０）。これにより、裏面に関するＡＣＳ判定の結果を遅延なく得ることができる。そして、ＣＰＵ４０１は、読み取るべき次の原稿があれば、裏面の画像データにＡＣＳ判定未処理の領域に対応するデータがあっても、次の原稿の読み取りに移行するよう制御する。
【００４１】
本実施の形態によれば、裏面の読み取り開始タイミングで表面がカラーと判定されている場合は、表面の画像データに、ＡＣＳ判定が未処理の領域に対応するデータがあっても、裏面の画像データの判定を開始させる（Ｓ２０６→Ｓ２０７）。これにより、原稿両面のカラー／白黒判定が無駄に遅延することを抑制することに関し、第１の実施の形態と同様の効果を奏することができ、ひいては、ＦＣＯＴの短縮が可能となる。また、ＣＰＵ４０１は、裏面の読み取り開始タイミングで表面がカラーと判定されていなくても、表面の全領域に対するＡＣＳ判定処理の終了前に表面のカラー判定が得られれば、裏面の画像信号に対するＡＣＳ判定の処理を開始させる。これにより、裏面のＡＣＳ判定の開始を早め、裏面のカラー／白黒判定が無駄に遅延することを抑制することができる。さらにＣＰＵ４０１は、原稿裏面のＡＣＳ判定の処理の終了前に、裏面のカラー判定が得られると、裏面の全領域のＡＣＳ判定を中断する。これによっても、裏面のカラー／白黒判定が無駄に遅延することを抑制することができる。
【００４２】
なお、ＡＣＳ判定結果が確定したら、その旨を操作部４０６での表示等によって報知してもよい。
【００４３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４４】
１１０〜１１３、１３２、１３３、１１６  搬送ローラ
１２１  表面読取ユニット
１３１  裏面読取ユニット
４０１  ＣＰＵ
【図１】
2019129449.tif 000003
【図２】
2019129449.tif 000004
【図３】
2019129449.tif 000005
【図４】
2019129449.tif 000006
【図５】
2019129449.tif 000007
【図６】
2019129449.tif 000008
【図７】
2019129449.tif 000009